(57)【要約】【課題】小型、低コストで出力音圧が高いスピーカシステムを提供することを目的とする。【解決手段】  開口３ｂが形成されたキャビネット３と、開口３ｂに配置され、外周側がキャビネット３に取り付けられたコーン紙（振動板）３１，コーン紙３１の音波放射面と反対側の面側に設けられる磁気回路５１，コーン紙３１の内周側に取り付けられ、磁気回路５１の磁気ギャップ内に配置されるボイスコイル３５を具備するスピーカユニット５と、からなり、少なくとも磁気回路５１のコーン紙３１の振動方向と直交する方向の外面が、キャビネット３の外部に露出している。【選択図】図３
2014236283.tif 000002
【特許請求の範囲】
【請求項１】
開口が形成されたキャビネットと、
前記開口に配置され、外周側が前記キャビネットに取り付けられた振動板，前記振動板の音波放射面と反対側の面側に設けられる磁気回路，前記振動板の内周側に取り付けられ、前記磁気回路の磁気ギャップ内に配置されるボイスコイルを具備するスピーカユニットと、
からなり、
少なくとも前記磁気回路の前記振動板の振動方向と直交する方向の外面が、前記キャビネットの外部に露出していることを特徴とするスピーカシステム。
【請求項２】
前記磁気回路の前記振動板の振動方向と直交する方向の外面のみが、前記キャビネットの外部に露出していることを特徴とする請求項１記載のスピーカシステム。
【請求項３】
前記磁気回路の前記キャビネットの外部に露出している面は、前記キャビネットの内面より外側にあることを特徴とする請求項１または２記載のスピーカシステム。
【請求項４】
前記磁気回路の前記キャビネットの外部に露出している面は、前記キャビネットの外面と面一、前記キャビネットの外面より内部にあるのうちのどちらか一方であることを特徴とする請求項３記載のスピーカシステム。
【請求項５】
前記キャビネットは、バスレフ型であることを特徴とする請求項１乃至４のいずれか記載のスピーカシステム。
【発明の詳細な説明】
【技術分野】
【０００１】
本発明は、スピーカシステムに関し、さらに詳しくは、小型、低コストで出力音圧が高いスピーカシステムに関する。
尚、本明細書では、スピーカシステムとは、スピーカユニットとこのスピーカユニットが取り付けられたキャビネット(エンクロージャ)とからなるものをいう。
【背景技術】
【０００２】
近年、薄型テレビ等に装着されるスピーカシステムにおいては、薄型化、スリム化（幅が狭い）が要望されている。しかし、薄型のキャビネットに組み込むスピーカユニットを薄型化、スリム化にすると、振動板の面積と磁気回路の大きさとが制限され、出力音圧が低下する問題点がある。
【０００３】
そこで、スピーカユニットの振動板の外周側を支持するフレームを無くし、振動板の外周側を直接キャビネットで支持する構成のスピーカシステムが提案されている。このような構成とすることで、振動板の面積が増えるので、出力音圧の低下をある程度防止できる(例えば、特許文献１参照)。
【先行技術文献】
【特許文献】
【０００４】
【特許文献１】特開２００１ー２８５９７９号公報
【発明の開示】
【発明が解決しようとする課題】
【０００５】
しかし、特許文献１に記載されたスピーカシステムでは、磁気回路はキャビネット内に配置されるので、磁気回路の大きさが制限され、出力音圧の低下が依然として避けられない。磁気回路の磁石として磁力が強いネオジム磁石(Ｎｄ磁石)を用いれば、磁気回路が薄型、スリムになっても、スピーカシステムの出力音圧の低下を防止できる。しかし、ネオジム磁石は、一般に使用されるフェライト磁石に比べ、コストが高い問題点がある。
【０００６】
また、更に極端に幅の狭いキャビネットにせざるを得ない場合においては、ネオジム磁石を用いても尚性能不足となる場合がある。
本発明は、上記問題点に鑑みてなされたもので、その課題は、小型、低コストで出力音圧が高いスピーカシステムを提供することにある。
【課題を解決するための手段】
【０００７】
上記課題のうち少なくとも一つを実現するために、本発明の一側面を反映したスピーカシステムは、
開口が形成されたキャビネットと、
前記開口に配置され、外周側が前記キャビネットに取り付けられた振動板，前記振動板の音波放射面と反対側の面側に設けられる磁気回路，前記振動板の内周側に取り付けられ、前記磁気回路の磁気ギャップ内に配置されるボイスコイルを具備するスピーカユニットと、
からなり、
少なくとも前記磁気回路の前記振動板の振動方向と直交する方向の外面が、前記キャビネットの外部に露出していることを特徴とする。
【０００８】
本発明の他の特徴は、以下に述べる発明を実施するための形態並びに添付の図面から一層明らかになるであろう。
【発明の効果】
【０００９】
本発明のスピーカシステムによれば、少なくとも前記磁気回路の前記振動板の振動方向と直交する方向の外面が、前記キャビネットの外部に露出していることにより、キャビネットが小型でも、磁気回路の大きさを大きくすることができる。このため、磁気回路の磁石の大きさを大きくすることができ、磁力が弱い安価な磁石を用いても、十分な磁力が得られ、スピーカシステムの出力音圧が高くなる。
【００１０】
本発明の他の効果は、以下に述べる発明を実施するための形態並びに添付の図面から一層明らかになるであろう。
【図面の簡単な説明】
【００１１】
【図１】第１実施形態のスピーカシステムの斜視図である。
【図２】図１のII方向矢視図である。
【図３】図２の切断線III-IIIでの端面図(切断部端面図)である。
【図４】図２の平面図である。
【図５】図４の切断線V-Vでの端面図(切断部端面図)である。
【図６】第２実施形態の端面図である。
【発明を実施するための形態】
【００１２】
＜第１実施形態＞
図１−図５を用いて、第１実施形態のスピーカを説明する。図１は第１実施形態のスピーカシステムの斜視図、図２は図１のII方向矢視図、図３は図２の切断線III-IIIでの端面図(切断部端面図)、図４は図２の平面図、図５は図４の切断線V-Vでの端面図(切断部端面図)である。
【００１３】
最初に、図１,図２,図４を用いて本実施形態のスピーカシステムの全体構成を説明する。スピーカシステム１は、略直方体  状のキャビネット３と、このキャビネット３の上面に設けられたスピーカユニット５とからなっている。
【００１４】
次に、キャビネット３、スピーカユニット５の詳細な説明を行う。
(キャビネット３)
図１、図４に示すように、キャビネット３の略矩形の上面の中央部には、キャビネット３の幅Ｗと等しい幅ｗのくぼみ３ｂが形成されている。このくぼみ３ｂの底面３ｃには、トラック形状(角丸長方形)の開口３ｄが形成されている。
【００１５】
キャビネット３には、一方の側面から対向する他方の側面まで貫通する管路７が形成され、この管路７内に、スピーカユニット５の磁気回路５１が配置されている。
(スピーカユニット５)
図３、図５に示すように、本実施形態のスピーカユニット５は、トラック形状の開口を有したダイアフラムリング１１と、トラック形状の振動板、本実施形態ではコーン紙(振動板)３１と、コーン紙３１の音波放射面ｒと反対側の面に設けられる磁気回路５１と、コーン紙３１の内周側に取り付けられ、磁気回路５１の磁気ギャップ内に配置されるボイスコイル３５とに大別される。
【００１６】
ダイアフラムリング１１は、キャビネット３のくぼみ３ｂの底面３ｃ上に配置される矩形の基部１１ａと、基部１１ａからくぼみ３ｂの開口３ｄ内に向かって延出し、水平方向の断面形状がトラック形状で、開口３ｄに入るに従って水平方向の断面積が狭くなる錘台部１１ｂとからなっている。
【００１７】
ダイアフラムリング１１の錘台部１１ｂの開口を覆うようにトラック形状のコーン紙３１が配置される。即ち、コーン紙３１は、キャビネット３の開口３ｄに配置される。このコーン紙３１の中央部には、略円形の穴３１ａが形成されている。コーン紙３１の外周部は、エッジ３３を介してダイアフラムリング１１の基部１１ａに取り付けられている。よって、コーン紙(振動板)３１は、図３、図５において上下方向に振動可能となっている。
【００１８】
コーン紙３１の穴３１ａには、ボイスコイル３５が取り付けられる。ボイスコイル３５は、両端面が開放面となり、一方の端面側(上方側)がコーン紙３１の穴３１ａに嵌合した状態で、コーン紙３１の穴３１ａに取り付けられる円筒状のボビン３７と、ボビン３７の外面に巻回され、電気信号が供給されるコイル３９とからなっている。
【００１９】
コーン紙３１の中心部には、ボビン３７の一方の端面側の開放面を覆うキャップ４０が設けられている。
管路７の上面には、穴７ａが形成され、ボビン３７の下部は、穴７ａを介して管路７内に突出している。管路７には、磁気回路５１が配置される。磁気回路５１は、ボトムヨーク５５と、ボトムヨーク５５上に積層され、着時方向が垂直方向の磁石５７と、磁石５７上に積層され、管路７の上面に取り付けられたトップヨーク６１とからなっている。本実施形態では、ボトムヨーク５５とトップヨーク６１の形状をほぼ同じ大きさの矩形とし、磁石５７の形状をボトムヨーク５５、トップヨーク６１の外形より若干大きな矩形とした。そして、磁石５７の外面のうち、コーン紙(振動板)３１の振動方向と直交する方向の外面、本実施形態では、外面５７ｂ、５７ｃ(図３参照)が、キャビネット３の外部に露出している。本実施形態では、露出している外面５７ｂ、５７ｃが、キャビネット３の外面と面一となるようにした。
【００２０】
ボトムヨーク５５の中央部には、ボビン３７に向かって延出し、ボビン３７の他方の端面側(下方側)の開放面から内筒部に嵌入する円柱状のセンタポール５３が、ボトムヨーク５５と一体的に形成されている。
磁石５７の中央部には、センタポール５３が挿通する穴５７ａが形成されている。トップヨーク６１の中央部にも、センタポール５３が挿通する穴６１ａが形成されている。
【００２１】
即ち、ボトムヨーク５５,センタポール５３と、磁石５７と、トップヨーク６１とで、センタポール５３の外周面とトップヨーク６１の穴６１ａの内壁面との間に磁気ギャップＧが形成された磁気回路５１となっている。
【００２２】
そして、ボイスコイル３５のコイル３９は、磁気回路５１の磁気ギャップGに位置するように、ボビン３７に巻回されている。このボイスコイル３５のボビン３７は、内周部が前記ボビン３７に取り付けられ、外周部が管路７の穴７ａの周縁に沿って形成された円環状の突部７ｂに取り付けられる円環状のダンパ４１を介して取り付けられている。
【００２３】
そして、磁気回路５１のトップヨーク６１の上面が全周にわたりキャビネット３と結合することにより、キャビネット３内から管路７へのエア漏れがなくなり、コーン紙３１の裏側面（外部に露出した面と反対側の面）の放射音が直接的にキャビネット３外に漏れ出ないようになっている。
【００２４】
更に、図5に示すように、ダイアフラムリング１１には、ターミナル７１、７３が設けられ、リード線７５、７７を介してボイスコイル３５のコイル３９へ電流が供給可能となっている。
【００２５】
上記構成のスピーカシステムの作動を説明する。ボイスコイル３５のコイル３９にターミナル７１，７３を介して電気信号が入力されると、コイル３９に発生する駆動力により、コーン紙３１が図３、図５において矢印Ａ方向に振動し、コーン紙３１の外部に露出した面（音波放射面）より音が放射される。
【００２６】
よって、本実施形態では、磁気回路５１は、コーン紙(振動板)３１の音波放射面と反対側の面側に設けられることとなる。
上記構成によれば、磁石５７の外面のうち、コーン紙(振動板)３１の振動方向と直交する方向の外面である外面５７ｂ、５７ｃは、キャビネット３の外面と面一となっている。よって、磁気回路５１の磁石５７を大きくでき、磁力が弱い安価な磁石を用いても、十分な磁力が得られ、スピーカシステムの出力音圧が高くなる。
【００２７】
尚、本発明は、上記実施形態に限定するものではない。上記実施形態では、磁石５７の外面のうち、磁気回路５１のコーン紙(振動板)３１の振動方向と直交する方向の外面である外面５７ｂ、５７ｃをキャビネット３の外面と面一にしたが、少なくともキャビネット３の内面より外側にあればよい。
【００２８】
そして、部品精度のばらつき、組み付け精度のバラツキを考慮し、磁気回路５１のコーン紙(振動板)３１の振動方向と直交する方向の外面である外面５７ｂ、５７ｃをキャビネット３の外面と内面との間にあるようにしてもよい。
【００２９】
さらには、キャビネット3の外部に干渉するものがないならば、外面５７ｂ、５７ｃがキャビネット３の外面から外部に突出するようにしてもよい。
更に、キャビネット３に管路７と水平方向で直交する管路を設け、磁石５７の他の外面をキャビネット３の外部露出させるようにしてもよい。この場合、磁気回路５１の磁石５７を更に大きくでき、磁力が弱い安価な磁石を用いても、十分な磁力が得られ、スピーカシステムの出力音圧が高くなる。
【００３０】
また、上記キャビネット３は密閉型であったが、例えば、キャビネット３の底面に開口を形成し、バスレフ型としてもよい。
＜第２実施形態例＞
図６を用いて説明する。図６は第２実施形態の端面図である。尚、図６において、第１実施形態の図５と同一部分には同一符号を付し、重複する説明は省略する。
【００３１】
本実施形態と第１実施形態との相違点は、ダイアフラムリングの有無である。本実施形態では、ダイアフラムリングを用いず、コーン紙３１の外周部は、エッジ３３を介してキャビネット３のくぼみ３ｂの底面３ｃに取り付けられている。そして、ボイスコイル３５のコイル３９へ電流を供給するためのターミナル１７１、１７３は管路７に設けられている。そして、ターミナル１７１、１７３に接続されるリード線１７５、１７７を介してボイスコイル３５のコイル３９へ電流が供給可能となっている。
【００３２】
このような構成によれば、ダイアフラムリングが不要となり、第１実施形態に比べコーン紙３１の振動面積を広く確保でき、スピーカシステムの出力音圧が高くなる。
【符号の説明】
【００３３】
３  キャビネット
５  スピーカユニット
３１  コーン紙(振動板)
５１  磁気回路
３５  ボイスコイル
５３  センタポール
【図１】
2014236283.tif 000003
【図２】
2014236283.tif 000004
【図６】
2014236283.tif 000005
【図３】
2014236283.tif 000006
【図４】
2014236283.tif 000007
【図５】
2014236283.tif 000008